【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】
臨床分析機のディスペンサーの自動整合方法において、
（ａ）校正要素を前記臨床分析機の所与の部分に配置する過程と、
（ｂ）前記臨床分析機の前記ディスペンサーを予め決められた方向（Ｙ）に沿って前記校正要素の上の位置へ移動させる過程と、
（ｃ）前記ディスペンサーから前記校正要素までの高さ（Ｚ）を測定して、位置座標（Ｙi ，Ｚi ）を求める過程と、
（ｄ）前記位置座標（Ｙi ，Ｚi ）を記憶する過程と、前記過程（ｂ）、前記過程（ｃ）、および上記の前記位置座標（Ｙi ，Ｚi ）を記憶する過程を繰り返す過程と、
（ｅ）位置座標（Ｙopt ，Ｚmax ）として定義される前記校正要素の上に位置決めされた前記ディスペンサーの最大の高さ（Ｚmax ）を求める過程と、
（ｆ）前記校正要素の上に位置決めされた前記ディスペンサーの前記最大の高さ（Ｚmax ）を含む位置座標を記憶する過程と、
を有する、方法。
【請求項２】
請求項１記載の方法において、
前記過程（ｂ）から前記過程（ｄ）の繰り返しをＹ方向に沿って複数の予め決められた回数だけ行う過程をさらに有する、方法。
【請求項３】
請求項２記載の方法において、
前記臨床分析機の前記所与の部分をＸ方向に沿って動かして、前記ディスペンサーから前記校正要素までの高さ（Ｚ）を測定し、位置座標（Ｘi ，Ｙopt ，Ｚi ）を求める過程をさらに有する、方法。
【請求項４】
請求項３記載の方法において、
前記校正要素の上に位置決めされた、前記ディスペンサーの最大の高さ（Ｚmax ）を求め、位置座標（Ｘopt ，Ｙopt ，Ｚmax ）を定義する過程をさらに有する、方法。
【請求項５】
請求項４記載の方法において、
前記位置座標（Ｘopt ，Ｙopt ，Ｚmax ）を前記ディスペンサーの整合点として記憶する過程をさらに有する、方法。
【請求項６】
請求項５記載の方法において、
前記ディスペンサーを前記整合点で駆動させて前記臨床分析機を動作させる過程をさらに有する、方法。
【請求項７】
請求項５記載の方法において、
前記臨床分析機の他の異なる部分に対して、過程（ａ）およびその他の全ての過程を繰り返して行なう過程をさらに有する、方法。
【請求項８】
請求項７記載の方法において、
前記ディスペンサーを前記整合ポイントで駆動させて前記臨床分析機を動作させる過程をさらに有する、方法。
【請求項９】
請求項２記載の方法において、
前記ディスペンサーの圧力レベルを検出して前記校正要素に対する前記ディスペンサーの高さ（Ｚ）を測定する過程をさらに有する、方法。
【請求項１０】
請求項２記載の方法において、
前記過程（ａ）において試料トレーに前記校正要素を配置して、前記臨床分析機のその部分を当該試料トレーとして定義する過程をさらに有する、方法。
【請求項１１】
請求項２記載の方法において、
前記過程（ａ）において第１の計量ポイントとして定義された前記臨床分析機の所与の部分に前記校正要素を配置する過程をさらに有する、方法。
【請求項１２】
請求項２記載の方法において、
前記過程（ａ）において反射的計量ポイントとして定義された前記臨床分析機の所与の部分に前記校正要素を配置する過程をさらに有する、方法。
【請求項１３】
請求項２記載の方法において、
前記過程（ａ）においてＳＴＡＴ計量ポイントとして定義された前記臨床分析機の所与の部分に前記校正要素を配置する過程をさらに有する、方法。
【請求項１４】
請求項２記載の方法において、
前記過程（ａ）において薄膜計量ポイントとして定義された前記臨床分析機の所与の部分に前記校正要素を配置する過程をさらに有する、方法。
【請求項１５】
請求項２記載の方法において、
前記過程（ａ）においてチップ密閉ポイントとして定義された前記臨床分析機の所与の部分に前記校正要素を配置する過程をさらに有する、方法。
【請求項１６】
請求項２記載の方法において、
前記過程（ａ）において第１のチップピックアップポイントとして定義された前記臨床分析機の所与の部分に前記校正要素を配置する過程をさらに有する、方法。
【請求項１７】
請求項２記載の方法において、
前記過程（ａ）において第１のチップ放出ポイントとして定義された前記臨床分析機の所与の部分に前記校正要素を配置する過程をさらに有する、方法。
【請求項１８】
請求項２記載の方法において、
前記過程（ａ）において第２のキュベット計量ポイントとして定義された前記臨床分析機の所与の部分に前記校正要素を配置する過程をさらに有する、方法。
【請求項１９】
請求項２記載の方法において、
前記過程（ａ）において第２のチップピックアップポイントとして定義された前記臨床分析機の所与の部分に前記校正要素を配置する過程をさらに有する、方法。
【請求項２０】
請求項２記載の方法において、
前記過程（ａ）においてキュベット計量ポイントとして定義された前記臨床分析機の所与の部分に前記校正要素を配置する過程をさらに有する、方法。
【請求項２１】
請求項２記載の方法において、
過程（ａ）においてミクロチップピックアップポイントとして定義された臨床分析機の所与の部分に校正要素を配置する過程をさらに有する、方法。
【請求項２２】
請求項２記載の方法において、
前記過程（ａ）において第２のチップ放出ポイントとして定義された前記臨床分析機の所与の部分に前記校正要素を配置する過程をさらに有する、方法。
【請求項２３】
請求項２記載の方法において、
前記過程（ａ）において湿式試薬計量ポイントとして定義された前記臨床分析機の所与の部分に前記校正要素を配置する過程をさらに有する、方法。
【請求項２４】
請求項２記載の方法において、
前記過程（ａ）が、試験管の形態の校正要素を用いる、方法。
【請求項２５】
請求項２記載の方法において、
前記過程（ａ）が、試料コンテナーの形態の校正要素を用いる、方法。
【請求項２６】
請求項２記載の方法において、
前記過程（ａ）において試薬コンテナーとして定義された前記臨床分析機の所与の部分に前記校正要素を配置する過程をさらに有する、方法。
【請求項２７】
請求項２記載の方法において、
前記過程（ａ）においてエッペンドルフ型チューブとして定義された前記臨床分析機の所与の部分に前記校正要素を配置する過程をさらに有する、方法。
【請求項２８】
請求項１記載の方法において、
前記過程（ｂ）から前記過程（ｆ）で制御システムを用いる過程をさらに有する、方法。
【手続補正２】
【補正対象書類名】明細書
【補正対象項目名】００７８
【補正方法】変更
【補正の内容】
【００７８】
この発明の具体的な実施態様は以下の通りである。
（Ａ）  ディスペンサーを備えた臨床分析機の校正方法であって、
（ａ）校正要素を上記臨床分析機のある部分に配置する過程と、
（ｂ）上記臨床分析機のディスペンサーを予め決められた方向（Ｙ）に沿って上記校正要素の上の位置へ移動する過程と、
（ｃ）上記ディスペンサーから上記校正要素までの高さ（Ｚ）を測定して、位置座標（Ｙi ，Ｚi ）を求める過程と、
（ｄ）上記位置座標（Ｙi ，Ｚi ）を記憶する過程と、
（ｅ）位置座標（Ｙopt ，Ｚmax ）として定義される上記校正要素の上に位置決めされた上記ディスペンサーの最大の高さ（Ｚmax ）を求める過程と、
（ｆ）上記校正要素の上に位置決めされた上記ディスペンサーの上記最大の高さ（Ｚmax ）を含む位置座標を記憶する過程と
を有する、臨床分析機の校正方法。
（１）過程（ｂ）から過程（ｅ）を繰り返して位置座標（Ｙopt ，Ｚmax ）を特定しかつ記憶する過程をさらに有する、実施態様（Ａ）記載の方法。
（２）過程（ｂ）から過程（ｅ）の繰り返しをＹ方向に沿った複数の予め決められた回数だけ行う過程をさらに有する、実施態様（１）記載の方法。
（３）臨床分析機のある部分をＸ方向に沿って動かして、ディスペンサーから校正要素までの高さ（Ｚ）を測定し、位置座標（Ｘi ，Ｙopt ，Ｚi ）を求める過程をさらに有する、実施態様（２）記載の方法。
（４）校正要素の上に位置決めされたディスペンサーの最大の高さ（Ｚmax ）を求め、位置座標（Ｘopt ，Ｙopt ，Ｚmax ）を定義する過程をさらに有する、実施態様（３）記載の方法。
（５）位置座標（Ｘopt ，Ｙopt ，Ｚmax ）をディスペンサーの整合点として記憶する過程をさらに有する、実施態様（４）記載の方法。
【手続補正３】
【補正対象書類名】明細書
【補正対象項目名】００８３
【補正方法】変更
【補正の内容】
【００８３】
（２６）過程（ａ）が、試薬コンテナーの形態の校正要素を用いる、実施態様（２）記載の方法。
（２７）過程（ａ）が、エッペンドルフ型ピペットの形態の校正要素を用いる、実施態様（２）記載の方法。
（２８）過程（ｂ）から過程（ｆ）で制御システムを用いる過程をさらに有する、実施態様（Ａ）記載の方法。
（Ｂ）  臨床分析機のディスペンサーの自動整合方法であって、
（ａ）校正要素を上記臨床分析機のある部分に配置する過程と、
（ｂ）上記臨床分析機の上記ディスペンサーを予め決められた方向（Ｙ）に沿って上記校正要素の上の位置へ移動する過程と、
（ｃ）上記ディスペンサーから上記校正要素までの高さ（Ｚ）を測定して、位置座標（Ｙi ，Ｚi ）を求める過程と、
（ｄ）上記位置座標（Ｙi ，Ｚi ）を記憶する過程と、
（ｅ）位置座標（Ｙopt ，Ｚmax ）として定義される上記校正要素の上に位置決めされた上記ディスペンサーの最大の高さ（Ｚmax ）を求める過程と、
（ｆ）上記校正要素の上に位置決めされた上記ディスペンサーの上記最大の高さ（Ｚmax ）を含む位置座標を記憶する過程と
を有する、臨床分析機のディスペンサーの自動整合方法。
（２９）過程（ｂ）から過程（ｅ）を繰り返して位置座標（Ｙopt ，Ｚmax ）を特定しかつ記憶する過程をさらに有する、実施態様（Ｂ）記載の方法。
（３０）過程（ｂ）から過程（ｅ）の繰り返しをＹ方向に沿った複数の予め決められた回数だけ行う過程をさらに有する、実施態様（２９）記載の方法。
【手続補正４】
【補正対象書類名】明細書
【補正対象項目名】００８８
【補正方法】変更
【補正の内容】
【００８８】
（５１）過程（ａ）において湿式試薬計量ポイントとして定義された臨床分析機のある部分に校正要素を配置する過程をさらに有する、実施態様（３０）記載の方法。
（５２）過程（ａ）が、試験管の形態の校正要素を用いる、実施態様（３０）記載の方法。
（５３）過程（ａ）が、試料コンテナーの形態の校正要素を用いる、実施態様（３０）記載の方法。
（５４）過程（ａ）において臨床分析機のある部分に試薬コンテナーとして定義された校正要素を配置する過程をさらに有する、実施態様（３０）記載の方法。
（５５）過程（ａ）において臨床分析機のある部分にエッペンドルフ型ピペットとして定義された校正要素を配置する過程をさらに有する、実施態様（３０）記載の方法。
（５６）過程（ｂ）から過程（ｆ）で制御システムを用いる過程をさらに有する、実施態様（Ｂ）記載の方法。